(57)【要約】 【課題】  本発明は、各種のカードや名刺などを収納するケースにおいて、カード等を収納する内ケース材が、カード等を収納した内ケース材が一定角度において回動を停止した後は、外ケース材の底面部に接するカードが内ケース材から外方向に押し出されるように構成することによって、外ケース材内に収納した内ケース材内部のカード等を確実かつ円滑に外部へ押し出して取り出し易くことを目的とする。 【解決手段】  カード等を収納する内ケース材１６が外ケース材２に内蔵され、内ケース材の一角上部分を押下することにより、内ケース材が内ケース材と外ケース材との係合部２２を支点に回動して外出し、内ケース材内部のカード等を取り出すようにするものである。【選択図】    図４
2019018901.tif 000002
【特許請求の範囲】
【請求項１】
カード等を収納する内ケース材を外ケース材の内部に収容し、前記内ケース材の一角上部分を外ケース材の開口部に突出せしめて置き、この内ケース材の外出上部分を押下することにより内ケース材を外ケース材との係合部を支点に回動して外出せしめ、内ケース材内のカード等を取り出すようにすることを特徴とするカード等収納ケース。
【請求項２】
内ケース材の係合部は外ケース材の一底角部に設けた短い切込部に係合することにより回動し得るように連結して成る請求項１に記載したカード等収納ケース。
【発明の詳細な説明】
【技術分野】
【０００１】
本発明は、各種のカードや名刺等を収納するケースに関するものである。
【背景技術】
【０００２】
カード等を収納する内ケースが外ケースに内蔵され、この内ケースを押下することにより内ケースを外ケースから引き出すと、内ケースが一定角度において回動を停止する機構から成るものとしては、下記のような部材が公知文献として存在する。
【先行技術文献】
【特許文献】
【０００３】
【特許文献１】実開平６−３９７８５号公報
【特許文献２】実開昭６４−４８２９１号公報
【特許文献３】特開２０１１−１１５３４１公報
【０００４】
特許文献１は、アウターケースとカード収納室を有したインナーケースを備え、アウターケースに対しインナーケースが回転軸周りに回動操作されるカードケースである。
【０００５】
特許文献２は、互いに解放された側面を向かい合わせた状態で、内箱を外箱の中に挿入し、外箱の下面と解放された側面との隅で内箱と外箱とを回転可能に結合したカード容器である。
【０００６】
特許文献３は、内側ケースを外側ケースの格納位置から排出位置に向かって回動させ、中間ケースが所定の位置まで移動されると、内側ケースに対するロックを自動的に解除でき、内側ケースが中間ケース内から弾性部材の付勢によって突き出されるカード保持具である。
【発明の概要】
【発明が解決しようとする課題】
【０００７】
これに対し本発明は、カード等を収納した内ケース材が一定角度において回動を停止した後は、外ケース材の底面部に接するカードが内ケース材から外方向に押し出されるように構成することによって、外ケース材内に収納した内ケース材内部のカード等を確実かつ円滑に外部へ押し出して取り出し易くことを目的とするものである。
【課題を解決するための手段】
【０００８】
本発明は、カード等を収納する内ケース材が外ケース材に内蔵され、内ケース材の一角上部分を押下することにより、内ケース材が内ケース材と外ケース材との係合部を支点に回動して外出し、内ケース材内部のカード等を取り出されるようにするものである。
【発明の効果】
【０００９】
名刺などのカード類の収納は、本発明に係る外ケース材と内ケース材との組み合わせによって成るものであるため、手帳などと同様に、洋服のポケットや鞄の中に入れておいても、かさばることなく容易に取り外すことができ、内ケース材中に収納しておくカード類の取り出しを、内カード材に対する簡単な開閉操作によって常に円滑に行うことができるようになるのである。
【図面の簡単な説明】
【００１０】
【図１】（Ａ）は内ケース材の展開状態図、（Ｂ）は外ケース材の展開状態図
【図２】外ケース材と内ケース材とカードとの挿入関係を示す斜視図
【図３】（Ａ）は外ケース材の掛け合い組立て状態図、（Ｂ）は内ケース材の掛け合い組立て状態図
【図４】（Ａ）は外ケース材と内ケース材との嵌合状態図、（Ｂ）は（Ａ）図要部の拡大断面図
【図５】（Ａ）は外ケース材と内ケース材との嵌合作動状態図、（Ｂ）は（Ａ）図要部の拡大断面図
【図６】（Ａ）は内ケース材からのカード取り出し状態図、（Ｂ）は（Ａ）図要部の拡大断面図
【発明を実施するための形態】
【００１１】
以下の説明は、図４乃至図６について参照する。
【００１２】
まず、外ケース材内部の内ケース材の開放されている右上端部分を人差指で押下すると、内ケース材がａ点を支点に右回動するから、外部の外ケース材から離れていき、内ケース材が一定の角度まで進行すると、支点での回動が中止し、カードを収納している内ケース材が外ケース材から隔離するから、カードが取り出し易い状態になっている。
【００１３】
次に、カードを収納していた内カード材を外ケース内に戻すには、内ケース材を内方向に回動すればよい。
【実施例】
【００１４】
１は外ケース材２の外展開部材で、この外展開部材は前側面部３に隣接して縦間隔部４を置いて中側面部５を設け、前記前側面部３の形状は略長方形に成るのに対し、中側面部５の形状は略正三角形に成るとともにその三角形の一辺部の中央には丸味のある切欠部６を設ける。
【００１５】
７は前記外展開部材１の前側面部３の下方部に横間隔部８を置いて設けた底側面部で、この底側面部の形状は横間隔部８の３分の１が切除された状態に成るとともに略三角形状に成り、前記中側面部５の一辺部に設けた切欠部６に対応する三角形の一辺部中央には丸味なる切欠部９を設けて、両切欠部は折畳み時には係合するように成る。
【００１６】
１０は前記外展開材１の前側面部３の上方部に横間隔部１１を置いて設けた後側面部で、この後側面部の形状及び面積は前記前側面部３と同一に成り、横間隔部１１を置いて曲折する一底角部には４５°の短い切込部１２を設ける。
【００１７】
１３は前記前側面部３と後側面部１０と横間隔部１１とが隣接する一角部に設けた開口部で、この開口部は前後両側面部３，１０と上下横間隔部８，１１と縦間隔部４とによって形成される開口部１４に通ずる。
【００１８】
図１の（Ｂ）における展開図は、各部の折り曲げを、各間隔部４，８，１１の破線部分をいずれも外側方向（山側）に折り込み組み立てるのである。
【００１９】
１５は内ケース材１６の内展開部材で、この内展開部材は左側面部１７に隣接して縦間隔部１８を置いて右側面部１９を設ける。
【００２０】
前記左側面部１７の角部には斜辺部２０を設け、その下側部には切開部２１を形成する。
【００２１】
また、右側面部１９の下側部にも切開部２８を形成する。
【００２２】
前記右側面部１９の端部には円形状の係合部２２を設け、この係合部は前記外ケース材２との組立時には前記外ケース材２の展開材１の後側面部１０の一角部の４５°に設けた短い切込部１２に掛け止める。
【００２３】
内ケース材１６におけるこの係合部２２が、前記外ケース材２における切込部１２の最奥部を支点に回動することにより、内ケース材に収納されている名刺などのカード類が自動的に外方に飛び出す状態になるのが特徴の一つである。
【００２４】
前記右側面部１９の角部には斜辺部２３を形成し、この斜辺部から前記係合部２２の端部に縦間隔部２４をおいて円形状に成る取付部２５に差込端部２６を形成して設ける。
【００２５】
前記右側面部１９の取付部２５の差込端部２６は、内ケース材１６の折畳み時に、左側面部１７の一部に設けた切溝２７に挿入して内ケース材１６が形成されるようになるから、しかる後にこの内ケース材に名刺等のカード類Ａを収納するようにする。
【符号の説明】
【００２６】
１                            外展開部材
２                            外ケース材
３                            前側面部
４                            縦間隔部
５                            中側面部
６                            切欠部
７                            底側面部
８                            横間隔部
９                            切欠部
１０                          後側面部
１１                          間隔部
１２                          切込部
１３                          切口部
１４                          開口部
１５                          内展開部材
１６                          内ケース材
１７                          左側面部
１８                          縦間隔部
１９                          右側面部
２０                          斜辺部
２１                          切開部
２２                          係合部
２３                          斜辺部
２４                          縦間隔部
２５                          取付部
２６                          差込端部
２７                          切溝
２８                          切開部
Ａ                            カード類
【図１】
2019018901.tif 000003
【図２】
2019018901.tif 000004
【図３】
2019018901.tif 000005
【図４】
2019018901.tif 000006
【図５】
2019018901.tif 000007
【図６】
2019018901.tif 000008